(57)【要約】【課題】パーソナルコンピュータ等にデータを入力する場合、キーボードは多くのキーが狭い範囲に集積されていて操作に慣れが必要であり、高齢者や障害者等の巧緻性が低い人には操作が困難である。【解決手段】そこで本発明では、シート状基体の表面に多数の入力対象データの夫々に対応する表示を配列すると共に、夫々の表示の配列位置に、表示に対応する入力対象データを記録したＩＣタグを配置して構成した第１の入力装置要素と、この第１の入力装置要素と分離して構成し、上記ＩＣタグに記録したデータの読取機能と、読み取ったデータの転送機能を有する第２の入力装置要素とから構成したデータ入力装置を提案する。【選択図】図１
2009087180.tif 000002
【特許請求の範囲】
【請求項１】
シート状基体の表面に多数の入力対象データの夫々に対応する表示を配列すると共に、夫々の表示の配列位置に、表示に対応する入力対象データを記録したＩＣタグを配置して構成した第１の入力装置要素と、この第１の入力装置要素と分離して構成し、上記ＩＣタグに記録したデータの読取機能と、読み取ったデータの転送機能を有する第２の入力装置要素とから構成したことを特徴とするデータ入力装置。
【請求項２】
入力対象データは、文字、数字、記号、文字列、数字列及び記号列の中から選択されるデータであることを特徴とする請求項１に記載のデータ入力装置。
【請求項３】
第１の入力装置要素のＩＣタグに複数のデータを記録し、表示を複数のデータに対応させると共に、第２の入力装置要素に、上記第１の入力装置要素の複数のデータを選択する選択操作手段を構成したことを特徴とする請求項１に記載のデータ入力装置。
【請求項４】
第２の入力装置要素には、手動操作の読取操作手段を構成したことを特徴とする請求項１に記載のデータ入力装置。
【請求項５】
第２の入力装置要素には、第２の入力装置要素を、第１の入力要素に押圧させる操作により動作する読取操作手段を構成したことを特徴とする請求項１に記載のデータ入力装置。
【請求項６】
読取操作手段は、クリック感を生じさせる構成としたことを特徴とする請求項４又は５に記載のデータ入力装置。
【請求項７】
第２の入力装置要素のデータの転送機能は、有線通信によるデータ転送機能であることを特徴とする請求項１に記載のデータ入力装置。
【請求項８】
第２の入力装置要素のデータの転送機能は、無線通信によるデータ転送機能であることを特徴とする請求項１に記載のデータ入力装置。
【請求項９】
第２の入力装置要素は、手持ちスタンプ型に構成したことを特徴とする請求項１〜８までのいずれか１項に記載のデータ入力装置。
【請求項１０】
第２の入力装置要素は、ペン型に構成したことを特徴とする請求項１〜８までのいずれか１項に記載のデータ入力装置。
【請求項１１】
第１の入力装置要素は、シート状基体を折り畳み可能に構成したことを特徴とする請求項１〜１０までのいずれか１項に記載のデータ入力装置。
【請求項１２】
第１の入力装置要素は、複数のシート状基体を移動可能に積層したことを特徴とする請求項１〜１１までのいずれか１項に記載のデータ入力装置。
【請求項１３】
第１の入力装置要素のシート状基体の表面には、ＩＣタグの位置表示を構成し、この位置表示と、入力対象データの夫々に対応する表示又はその一部は、重ならないように配置したことを特徴とする請求項１〜１２までのいずれか１項に記載のデータ入力装置。
【発明の詳細な説明】
【技術分野】
【０００１】
本発明は、パーソナルコンピュータや携帯電話端末等にデータを入力するためのデータ入力装置、特に高齢者や障害者等の巧緻性が低い人であっても、定型的な内容伝達を含め、入力作業を容易に行えるようにしたデータ入力装置に関するものである。
【背景技術】
【０００２】
パーソナルコンピュータに文字、数字、記号等のデータを入力するための最も一般的な装置として、従来からキーボードが用いられている。一方、携帯電話端末においては、ｅ−ｍａｉｌの文面を作成するために文字や記号等を入力する際に、電話番号入力用の数字キーを適数回押圧することにより、それに割り当てられた文字や記号が入力されるように構成されている。
【０００３】
しかしながらキーボードは、多くのキーが狭い範囲に集積されていて操作に慣れが必要であり、また携帯電話端末の数字キーは、それ自体が小さいため、高齢者や障害者等の巧緻性が低い人には操作が困難である。
【０００４】
そのために高齢者等用としてキーを構成するボタンやボタン上面の表示を大きくしたキーボードも提供されている。
【０００５】
また特許文献１では、高齢者等にとっても簡単で且つ直感的な動作を行うだけで発呼及び電子メール送信できる情報端末が提案されている。即ち、この情報端末は、各相手先を示す情報を一方の面にそれぞれ表示し、且つ各相手先の電話番号又は電子メールアドレス又は用件を記録したＩＣチップとアンテナを内蔵している複数のカードの中の任意の１枚又は複数のカードを選択し、この任意に選択された１枚又は複数のカードを、近距離非接触型読み取り装置に近づけて、相手先の電話番号、電子メールアドレス又は電子メールの用件を読み取り、相手先の電話番号を宛先とする発呼情報を送信したり、前記相手先メールアドレスへの電子メールを送信したり、前記用件を含む電子メールを送信できるというものである。
【特許文献１】特開２００５−３０３６９５号公報
【発明の開示】
【発明が解決しようとする課題】
【０００６】
しかしながらキーを構成するボタンやボタン上面の表示を大きくするために大型化したキーボードでは、場所を取る上、コストも高い。
【０００７】
また上述した特許文献１において提案されるような情報端末では、きめ細かな情報発信を行えるようにするためにカードの数を増加すると、カードを探す手間、カードを近距離非接触型読み取り装置に近付ける操作に要する手間が大きくなり、管理の負担が大きくなってしまう。
本発明は、このような課題を解決することを目的とするものである。
【課題を解決するための手段】
【０００８】
本発明では、課題を解決するために、シート状基体の表面に多数の入力対象データの夫々に対応する表示を配列すると共に、夫々の表示の配列位置に、表示に対応する入力対象データを記録したＩＣタグを配置して構成した第１の入力装置要素と、この第１の入力装置要素と分離して構成し、上記ＩＣタグに記録したデータの読取機能と、読み取ったデータの転送機能を有する第２の入力装置要素とから構成したデータ入力装置を提案する。
【０００９】
本発明では、上記の構成において、入力対象データは、文字、数字、記号、文字列、数字列及び記号列の中から選択されるデータとする。
【００１０】
また本発明では、上記の構成において、第１の入力装置要素のＩＣタグに複数のデータを記録し、表示を複数のデータに対応させると共に、第２の入力装置要素に、上記第１の入力装置要素の複数のデータを選択する選択操作手段を構成することを提案する。
【００１１】
また本発明では、上記の構成において、第２の入力装置要素には、手動操作の読取操作手段を構成することを提案する。
【００１２】
また本発明では、上記の構成において、第２の入力装置要素には、第２の入力装置要素を、第１の入力要素に押圧させる操作により動作する読取操作手段を構成することを提案する。
【００１３】
また本発明では、上記の構成において、読取操作手段は、クリック感を生じさせる構成とすることを提案する。
【００１４】
また本発明では、上記の構成において、第２の入力装置要素のデータの転送機能は、有線通信によるデータ転送機能としたり、無線通信によるデータ転送機能とすることを提案する。
【００１５】
また本発明では、上記の構成において、第２の入力装置要素は、手持ちスタンプ型に構成したり、ペン型に構成することを提案する。
【００１６】
さらに本発明では、上記の構成において、第１の入力装置要素は、シート状基体を折り畳み可能に構成することを提案する。
【００１７】
さらに本発明では、上記の構成において、第１の入力装置要素は、複数のシート状基体を移動可能に積層することを提案する。
【００１８】
更に本発明では、上記の構成において、第１の入力装置要素のシート状基体の表面には、ＩＣタグの位置表示を構成し、この位置表示と、入力対象データの夫々に対応する表示又はその一部は、重ならないように配置することを提案する。
【発明の効果】
【００１９】
本発明のデータ入力装置において、高齢者等の操作者は、第１の入力装置要素のシート状基体上に配列された表示を見て、自己が入力したい文字等を確認し、その表示に対応するＩＣタグの位置に、第２の入力装置要素を持って行って読取操作を行う。
【００２０】
この読取操作により、第２の入力装置要素の読取機能によりＩＣタグに記録されたデータが読み取られ、次いで転送機能により、読み取ったデータを転送して、パーソナルコンピュータや携帯電話端末等に入力を行うことができる。
【００２１】
ＩＣタグには、長い文字列、数字列及び記号列を記録することが可能であるので、定型句や定型文を記録することにより、１回の読取操作で多くのデータをパーソナルコンピュータや携帯電話端末等に入力することが可能である。
【００２２】
自己が意図した文字等の入力を確実化するために第２の入力装置要素に読取操作手段を構成するのが好ましく、この読取操作手段としては、スイッチを直接的に手動操作して動作する構成としたり、第２の入力装置要素を、第１の入力要素に押圧させる操作により動作する構成とすることができる。
【００２３】
いずれの読取操作手段を適用する場合においても、それらの操作においてクリック感を生じさせる構成とすることにより、快適なデータ入力操作を行うことができる。
【００２４】
第２の入力装置要素からパーソナルコンピュータや携帯電話端末等へのデータの転送は、有線通信又は無線通信のいずれを適用しても良い。
【００２５】
第２の入力装置要素は、手持ちスタンプ型やペン型等の適宜の形態に構成することができる。
【００２６】
第１の入力装置要素は、シート状基体を折り畳み可能に構成すれば、使用時に大型に展開して使用勝手を良好にすると共に、不使用時には折り畳んで小さくすることにより格納が容易となり、大型化と収納性の両立が可能である。
【００２７】
第１の入力装置要素は、複数のシート状基体を移動可能に積層して、夫々のシート状基体に対して読取操作を行う構成とすることにより、第１の入力装置要素の単位面積当たりの入力可能なデータの種類を多くすることができる。
【００２８】
第１の入力装置要素のシート状基体の表面において、ＩＣタグの位置表示を構成し、この位置表示と、入力対象データの夫々に対応する表示又はその一部は、重ならないように配置すれば、操作者は、第２の入力装置要素を、表示を見ながら、意図するデータに対応するＩＣタグの位置に容易に位置決めすることができ、データ入力の確実性を向上することができる。
【発明を実施するための最良の形態】
【００２９】
次に本発明の実施の形態を、添付図面を参照して説明する。
図１〜図３は本発明の第１の実施の形態を示すもので、図１は本発明のデータ入力装置の全体構成を示す模式図、図２、図３は読取動作を示す説明図である。符号１は第１の入力装置要素、２は第２の入力装置要素を示すもので、本発明のデータ入力装置は、これらの第１の入力装置要素１と第２の入力装置要素２とから構成される。
【００３０】
第１の入力装置要素１は、シート状基体３の表面に多数の入力対象データの夫々に対応する表示４（「あ」，「い」，「う」，…「０」，「１」，…「。」，「Ａ」，…「＞」，…）を配列すると共に、夫々の表示４の配列位置に、表示４に対応する入力対象データを記録したＩＣタグ５を配置して構成している。ここで、入力対象データは、文字、数字、記号、文字列、数字列及び記号列の中から選択される如何なるデータとすることもできる。
【００３１】
第１の入力装置要素１の要素であるシート状基体３は、例えば厚紙や合成樹脂製のシートとして構成され、この実施の形態においては、図中に２点鎖線で示すように中間位置を軸として２枚折りに折り畳み可能に構成されているが、折り畳みしない構成とすることもできることは云うまでもない。またシート状基体３の材質は、ＩＣタグ５の動作に影響を与えない材質であれば適宜である。
【００３２】
図２、図３に示すように、この実施の形態では、表示４及びＩＣタグ５は、２枚のシート要素３ａ，３ｂを貼り付けてシート状基体３を構成する際に、２枚のシート要素３ａ，３ｂ間に挟んで配置しているが、この他、表示４及びＩＣタグ５は、１枚から成るシート状基体１４の上面に貼り付けて配置したり、いずれか一方、例えばＩＣタグ５は、２枚のシート要素３ａ，３ｂ間に挟んで配置すると共に、他方、即ち、この場合、表示４は、シート要素３ａの上面に貼り付けたり、印刷を行う等により配置することができる。即ち、表示４及びＩＣタグ５の配置の仕方は、以下に説明する他の実施の形態においても同様に適宜である。
【００３３】
第２の入力装置要素２は、器体６の上側に把手７を設けた手持ちスタンプ型として構成され、上記ＩＣタグ５に記録されたデータの読取機能と、読み取ったデータの転送機能の構成要素を格納している。
【００３４】
把手７は器体６から伸長する方向に付勢されており、この付勢力に抗して押圧して器体６内に押し込んだ際に、上述したデータの読取機能が動作する構成とされており、これが上記読取操作手段を構成している。そしてこの実施の形態では、データの読取機能が動作する際には、クリック感が生じる構成としている。このような構成は、マイクロスイッチやパンタグラフ式キーボードにおける機構や、その他の節度機構を適用することができる。
【００３５】
一方、第２の入力装置要素２のデータの転送機能は、有線通信又は無線通信によるデータ転送機能のいずれを利用しても良く、例えば有線通信を利用する場合には、ＵＳＢ接続等を利用すれば簡便である。
【００３６】
以上の構成において、高齢者等の操作者は、第１の入力装置要素１のシート状基体３上に配列された表示４を見て、自己が入力したい文字等を確認し、図１及び図２に示すように、その表示に対応するＩＣタグ５の位置に、第２の入力装置要素２を持って行く。
【００３７】
例えば操作者が「ま」の文字を入力したい場合には、図１中に２点鎖線で示すように「ま」に対応する表示４とＩＣタグ５の位置に第２の入力装置要素２の器体６を載せ、次いでその位置で図３に示すように、把手７を付勢力に抗して下方に押圧する。
【００３８】
この押圧操作により、把手７が器体６内に押し込まれると、クリック感が生じると共にデータ読取機能が動作して、ＩＣタグ５のデータが読み取られ、この読み取られたデータは転送機能により通信ケーブル８や無線により、パーソナルコンピュータ９や携帯電話端末１０に入力される。
【００３９】
このようにして、順次、他の文字や記号等に対応する表示４とＩＣタグ５の位置に第２の入力装置要素２の器体６を載せて、読取操作を行うことにより、意図する文章等を構成するデータをパーソナルコンピュータ９や携帯電話端末１０に入力することができる。
【００４０】
ここでＩＣタグ５には、長い文字列、数字列及び記号列を記録することが可能であるので、定型句や定型文を記録することにより、１回の読取操作で多くのデータをパーソナルコンピュータ９や携帯電話端末１０等に入力することが可能である。
【００４１】
即ち、図４は本発明の第２の実施の形態において、第１の入力装置要素１の一部の拡大図であり、第１の実施の形態の構成要素に対応する要素には同一の符号を付して重複する説明は省略する。
この実施の形態においては、図１と同様に２点鎖線において示す第２の入力装置要素２の器体６を載せている表示４に対応するＩＣタグ５には、「分かりました」という定型句の文字列データが記録されており、従って１回の上述した読取操作で、この文字列データをパーソナルコンピュータ９や携帯電話端末１０等に入力することが可能である。
【００４２】
ここで、上記読取操作において、表示４とＩＣタグ５の位置に第２の入力装置要素２の器体６を載せた場合、器体６と、表示４及びＩＣタグ５の位置との相対的大きさは、例えば図１、図２に示されるように、器体６が表示４及びＩＣタグ５の位置を全て覆うような大きさとすることもできるし、次のようにすることができる。
【００４３】
即ち、図５は本発明の第３の実施の形態において、第１の入力装置要素１の一部の拡大図であり、第１の実施の形態の構成要素に対応する要素には同一の符号を付して重複する説明は省略する。
この実施の形態では、表示４とＩＣタグ５の位置に第２の入力装置要素２の器体６を載せた場合、器体６はＩＣタグ５の位置とその周辺を覆うのみで、表示４の大部分は覆っていない。
【００４４】
このため把手７を押圧して読取操作を行う際にも表示４の一部が見えているため、操作者は意図する文字等であるか否かを確認しながら読取操作を行うことができる。
【００４５】
次に図６、図７は本発明の第４の実施の形態を示すもので、この実施の形態では、第２の入力装置要素２は、ペン型の器体１１により構成しており、その先端には伸縮可能で、伸長方向に付勢されたピン１２が設けられている。その他の構成要素は、以上の実施の形態と同様であるので、同様な要素には同一の符号を付して重複する説明は省略する。
【００４６】
この実施の形態では、操作者は、入力したい文字等に対応するＩＣタグ５の位置を表示４により確認しながら、図６に示すようにＩＣタグ５の位置にピン１２を位置させた後、その位置で図７に示すように、器体１１を付勢力に抗して下方に押圧する。
【００４７】
この押圧操作により、ピン１２が器体１１内に押し込まれると、クリック感が生じると共に、データ読取機能が動作して、ＩＣタグ５のデータが読み取られ、この読み取られたデータは転送機能により通信ケーブル８や無線により、パーソナルコンピュータ９や携帯電話端末１０に入力される。
【００４８】
次に図８、図９は本発明の第５の実施の形態を示すもので、この実施の形態では、第２の入力装置要素２は、第４の実施の形態と同様にペン型の器体１１により構成しており、その先端には伸縮可能で、伸長方向に付勢されたピン１２が設けられている。そしてこの実施の形態では、器体１１の下端寄り側方に読取操作ボタン１３を構成している。
【００４９】
この実施の形態では、操作者は、入力したい文字等に対応するＩＣタグ５の位置を表示４により確認しながら、図８に示すようにＩＣタグ５の位置にピン１２を位置させた後、その位置で図９に示すように、器体１１をピン１２に加わる付勢力に抗して下方に押圧すると同時に読取操作ボタン１３を押圧操作する。
【００５０】
この読取操作ボタン１３の押圧操作により、データ読取機能が動作して、ＩＣタグ５のデータが読み取られ、この読み取られたデータは転送機能により通信ケーブル８や無線により、パーソナルコンピュータ９や携帯電話端末１０に入力される。
【００５１】
この実施の形態では、クリック感を生じさせる手段は、読取操作ボタン１３の機構に構成しても良く、この構成では、ピン１２は、固定式としたり、省略することも可能である。しかしながらピン１２を付勢にこうして器体１１内に押し込む動作を併用することにより、データ読取機能を構成するアンテナの位置をＩＣタグ５から所定の近接位置にもたらすことかできるので、確実な読取を行うことができる。
【００５２】
次に図１０〜図１２は本発明の第６の実施の形態を示すもので、この第６の実施の形態は、第１の入力装置要素１に関するものである。
即ち、この実施の形態では、第１の入力装置要素１は、下側の第１のシート状基体１４と、その上側に回転軸１５により図中左右方向に回転可能に取り付けた第２のシート状基体１６と第３のシート状基体１７とから構成しており、第１のシート状基体１４の上面側と、この第１のシート状基体１４上に展開させて載置した状態の第２のシート状基体１６と第３のシート状基体１７の上面に、上述した表示４とＩＣタグ５を構成したものである。
【００５３】
この構成では、第１のシート状基体１４の面積において、この第１のシート状基体１４上の表示４とＩＣタグ５に加えて、第２のシート状基体１６と第３のシート状基体１７上の表示４とＩＣタグ５を、夫々異なったデータに割り当てることができるので、第１の入力装置要素１の単位面積当たりの入力可能なデータの種類を多くする、この場合には２倍にすることができる。
【００５４】
尚、以上の動作を行わせるために、第１の入力装置要素１のＩＣタグ５及び第２の入力装置要素２の読取機能は、近距離非接触型の構成とし、また第６の実施の形態のように、複数のシート状基体１４、１６、１７を移動可能に積層した構成においては、積層状態におけるシート状基体１４、１６、１７のＩＣタグ５を両方同時に読み取らないようにするために、シート状基体の間に電磁シールド材等を介装することが必要となる。
【産業上の利用可能性】
【００５５】
本発明は以上の通りであるので、高齢者や障害者等の巧緻性が低い人がパーソナルコンピュータや携帯電話端末等に、定型的な内容や文字等のデータを入力するデータ入力装置として最適であり、産業上の利用可能性が大である。
【図面の簡単な説明】
【００５６】
【図１】本発明の第１の実施の形態の全体構成を示す模式図である。
【図２】第１の実施の形態における読取動作を説明する説明図である。
【図３】第１の実施の形態における読取動作を他の局面において説明する説明図である。
【図４】本発明の第２の実施の形態において、第１の入力装置要素の一部の拡大図である。
【図５】本発明の第３の実施の形態において、第１の入力装置要素の一部の拡大図である。
【図６】は本発明の第４の実施の形態を示す説明図である。
【図７】は本発明の第４の実施の形態を他の局面において示す説明図である。
【図８】本発明の第５の実施の形態を示す説明図である。
【図９】本発明の第５の実施の形態を他の局面において示す説明図である。
【図１０】本発明の第６の実施の形態を示す説明図である。
【図１１】本発明の第６の実施の形態を他の局面において示す説明図である。
【図１２】本発明の第６の実施の形態を更に他の局面において示す説明図である。
【符号の説明】
【００５７】
１      第１の入力装置要素
２      第２の入力装置要素
３      シート状基体
４      表示
５      ＩＣタグ
６      器体
７      把手
８      接続ケーブル
９      パーソナルコンピュータ
１０    携帯電話端末
１１    器体
１２    ピン
１３    読取操作ボタン
１４    第１のシート状基体
１５    回転軸
１６    第２のシート状基体
１７    第３のシート状基体
【図１】
2009087180.tif 000003
【図２】
2009087180.tif 000004
【図３】
2009087180.tif 000005
【図４】
2009087180.tif 000006
【図５】
2009087180.tif 000007
【図６】
2009087180.tif 000008
【図７】
2009087180.tif 000009
【図８】
2009087180.tif 000010
【図９】
2009087180.tif 000011
【図１０】
2009087180.tif 000012
【図１１】
2009087180.tif 000013
【図１２】
2009087180.tif 000014